(57)【要約】【課題】  ディスプレイをスムーズに回動させることができるディスプレイ支持機構を提供する。【解決手段】  ディスプレイを台部に対してチルト方向に傾動させるディスプレイ支持機構であって、シャフトと、このシャフトに回動可能に支持され、ディスプレイの後面及び台部のいずれか一方に取り付けられる第１ブラケットと、シャフトに回動可能に支持され、ディスプレイ及び台部の他方に取り付けられる第２ブラケットと、第１ブラケットと第２ブラケットとの間にフリクションを発生させてディスプレイを台部に対して所望の位置に停止保持させるフリクション発生手段と、ディスプレイの後面と台部との間に設けられ、ディスプレイがシャフトを軸に前面側に倒れる力を打ち消す落下モーメント打消手段とを備えたことにより、前記課題を解決した。【選択図】        図１
2008009144.tif 000002
【特許請求の範囲】
【請求項１】
ディスプレイを台部に対してチルト方向に傾動させるディスプレイ支持機構であって、
シャフトと、
このシャフトに回動可能に支持され、前記ディスプレイの後面及び前記台部のいずれか一方に取り付けられる第１ブラケットと、
前記シャフトに回動可能に支持され、前記ディスプレイ及び前記台部の他方に取り付けられる第２ブラケットと、
前記第１ブラケットと前記第２ブラケットとの間にフリクションを発生させて前記ディスプレイを前記台部に対して所望の位置に停止保持させるフリクション発生手段と、
前記ディスプレイの後面と前記台部との間に設けられ、前記ディスプレイが前記シャフトを軸に前面側に倒れる力を打ち消す落下モーメント打消手段とを備えたことを特徴とする、ディスプレイ支持機構。
【請求項２】
前記落下モーメント打消手段が、前記第１ブラケットと前記第２ブラケットとの間に設けられ、付勢力により前記倒れる力を打ち消す付勢部材を有することを特徴とする、請求項１に記載のディスプレイ支持機構。
【請求項３】
前記付勢部材の付勢力を調節する付勢力調節手段を設けたことを特徴とする、請求項２に記載のディスプレイ支持機構。
【請求項４】
前記第１ブラケットに、移動可能に調節板が設けられ、前記第２ブラケットに可動ピンが設けられ、前記調節板に前記付勢部材の一端部が当接されると共に前記付勢部材の他端部が前記可動ピンに当接され、前記第１ブラケットに、前記調節板の位置を調節して前記付勢部材の付勢力を調節する付勢力調節部材を設けたことを特徴とする、請求項２に記載のディスプレイ支持機構。
【請求項５】
前記ディスプレイを前記台部に対してスイベル方向に回動させるスイベル機構を備えたことを特徴とする、請求項１〜４のいずれか１項に記載のディスプレイ支持機構。
【発明の詳細な説明】
【技術分野】
【０００１】
本発明は、モニターや液晶テレビ等の据え置き型のディスプレイをフリクションにより所望の位置に停止保持させるディスプレイ支持機構に関するものである。
【背景技術】
【０００２】
モニターや液晶テレビ等の据え置き型のディスプレイは、台部に支持されており、この台部を介してテレビ台上等に載置されている。ディスプレイと台部とは、ディスプレイ支持機構を介して連結されている。ディスプレイ支持機構は、ディスプレイを台部に対して傾動可能に支持するものである。ディスプレイ支持機構としては、左右一対のフリクションヒンジを備えたものが知られている（例えば、特許文献１参照。）。フリクションヒンジは、台部を軸に左右対称のものである。台部上には、シャフトが左右方向に延びて設けられ、これらシャフトに回動可能にブラケットが取り付けられている。これらブラケットがディスプレイに取り付けられて、ディスプレイがシャフトを軸にチルト方向（前後）に回動支持されている。シャフトには、ストッパーワッシャー、フリクションワッシャー、ブラケット、フリクションワッシャー、皿バネ及び押え用ワッシャーが締付ナットにより取り付けられており、皿バネ及び各ワッシャーが互いに圧接状態になってシャフトとブラケットとの間、すなわち、ディスプレイと台部との間にフリクションが発生する。このフリクションによってディスプレイが台部に対して所望の位置に停止保持される。
【特許文献１】特開２００４−２９１０６号公報
【発明の開示】
【発明が解決しようとする課題】
【０００３】
この特許文献１に記載されたディスプレイ支持機構は、ディスプレイをシャフトを軸にチルト方向に回動支持すると共に、フリクションによりディスプレイを所望の位置に停止保持するものであるが、ディスプレイ自体の重さによりディスプレイが前に倒れようとするので、ディスプレイをスムーズに回動動作することができない。すなわち、シャフトより前方にディスプレイの重心が位置されているために、ディスプレイが前に倒れようとするので、バネの付勢力を強くしてディスプレイが前に倒れないように強いフリクショントルクを発生させている。このため、ディスプレイをシャフトを軸にチルト方向に回動させる場合には、強いフリクショントルクより大きな力が必要となり、ディスプレイをスムーズに回動させることができないという問題があった。
【０００４】
本発明は、前記課題を解決するためになされたものであって、その目的は、ディスプレイをスムーズに回動させることができるディスプレイ支持機構を提供することにある。
【課題を解決するための手段】
【０００５】
前記の目的を達成するための本発明に係るディスプレイ支持機構は、ディスプレイを台部に対してチルト方向に傾動させるディスプレイ支持機構であって、シャフトと、このシャフトに回動可能に支持され、前記ディスプレイの後面及び前記台部のいずれか一方に取り付けられる第１ブラケットと、前記シャフトに回動可能に支持され、前記ディスプレイ及び前記台部の他方に取り付けられる第２ブラケットと、前記第１ブラケットと前記第２ブラケットとの間にフリクションを発生させて前記ディスプレイを前記台部に対して所望の位置に停止保持させるフリクション発生手段と、前記ディスプレイの後面と前記台部との間に設けられ、前記ディスプレイが前記シャフトを軸に前面側に倒れる力を打ち消す落下モーメント打消手段とを備えたことを特徴とする。
【０００６】
この発明によれば、ディスプレイがシャフトを軸に前面側に倒れる力を打ち消す落下モーメント打消手段を備えたことで、ディスプレイが前面側に倒れることがないので、小さなフリクショントルクでディスプレイを所望の位置に停止保持させることができると共に、ディスプレイをスムーズに回動させることができる。
【０００７】
本発明に係るディスプレイ支持機構において、前記落下モーメント打消手段が、前記第１ブラケットと前記第２ブラケットとの間に設けられ、付勢力により前記倒れる力を打ち消す付勢部材を有することが好ましい。また、本発明に係るディスプレイ支持機構において、前記付勢部材の付勢力を調節する付勢力調節手段を設けることが好ましい。また、本発明に係るディスプレイ支持機構において、前記第１ブラケットに、移動可能に調節板が設けられ、前記第２ブラケットに可動ピンが設けられ、前記調節板に前記付勢部材の一端部が当接されると共に前記付勢部材の他端部が前記可動ピンに当接され、前記第１ブラケットに、前記調節板の位置を調節して前記付勢部材の付勢力を調節する付勢力調節部材を設けることが好ましい。また、本発明に係るディスプレイ支持機構において、前記ディスプレイを前記台部に対してスイベル方向に回動させるスイベル機構を備えることが好ましい。
【発明の効果】
【０００８】
以上説明したように本発明に係るディスプレイ支持機構によれば、ディスプレイがシャフトを軸に前面側に倒れる力を打ち消す落下モーメント打消手段を備えたので、小さなフリクショントルクでディスプレイを所望の位置に停止保持させることができると共に、ディスプレイをスムーズに回動させることができる。
【発明を実施するための最良の形態】
【０００９】
以下、本発明に係るディスプレイ支持機構の一例を添付図面に基づいて詳述する。
【００１０】
図１〜図８は本発明に係るディスプレイ支持機構の一例を示す図である。本発明に係るディスプレイ支持機構は、図１〜図８に示すように、ディスプレイ１１を台部１２に対してチルト方向に傾動させるものである。ディスプレイ１１は、モニターや液晶テレビ等で据え置き型のものであり、本発明に係るディスプレイ支持機構は、特に大型のモニターや液晶テレビ等に有用なものである。このディスプレイ１１は、台部１２に支持されて、この台部１２を介してテレビ台上等に載置されるものである。本発明に係るディスプレイ支持機構１は、ディスプレイ１１と台部１２とを連結するものである。
【００１１】
本発明に係るディスプレイ支持機構１は、シャフト２と、このシャフト２に回動可能に支持され、ディスプレイ１１の後面及び台部１２のいずれか一方、例えば、台部１２に取り付けられる第１ブラケットと、シャフト２に回動可能に支持され、ディスプレイ１１及び台部１２の他方、例えば、ディスプレイ１１の後面に取り付けられる第２ブラケットと、第１ブラケットと第２ブラケットとの間にフリクションを発生させてディスプレイ１１を台部１２に対して所望の位置に停止保持させるフリクション発生手段５と、ディスプレイ１１の後面と台部１２との間に設けられ、ディスプレイ１１がシャフト２を軸に前面側に倒れる力を打ち消す落下モーメント打消手段６とを備えたことに特徴がある。
【００１２】
シャフト２は、例えば、円形の棒状に形成されている。シャフト２の一端部には、拡径された頭部が設けられている。シャフト２は、第２ブラケット及び第１ブラケットを貫通させた他端部である先端部をかしめることにより、シャフト２の軸周りに第１ブラケットと第２ブラケットとが回動可能に支持されることになる。
【００１３】
第１ブラケットは、例えば、台部１２に取り付けられるベースブラケット３である。ベースブラケット３は、図９に示すように、例えば、縦方向に細長の矩形状の基部３ａと、基部３ａの両側部を上方に略直交する方向に折り曲げてなる両側部３ｂと、これら両側部３ｂの後端部をそれぞれ内側に略直交する方向に折り曲げてなる後部３ｃとからなる。基部３ａには、ベースブラケット３を例えばビス等により後述するベース部材３１に取り付けるための取付孔３ｄが例えば３つ設けられている。後部３ｃには、ベースブラケット３を例えばビス等によりベース部材３１に取り付けるための取付孔３ｅが例えば２つ設けられている。これら取付孔３ｅは２つともネジが切られている。また、後部３ｃには、貫通部３３が形成されている。
【００１４】
また側部３ｂの前方寄りであって上方近傍には、シャフト２が挿入されるシャフト挿入孔３４が設けられている。シャフト挿入孔３４の径は、シャフト２の径より若干大きな寸法で形成されていることが好ましい。また、側部３ｂの前方寄りであって下方近傍には、可動ピン１３が挿入されると共に前後方向に細長に形成されたチルト孔３５が設けられている。このチルト孔３５の前後方向の長さによってディスプレイ１１を台部１２に対してチルト方向に傾動させ得る傾動範囲が規制されるようになっている。
【００１５】
第２ブラケットは、例えば、図１〜図８に示すように、ディスプレイ１１に取り付けられる回動ブラケット４である。回動ブラケット４は、図１０に示すように、後述するフロントプレート４１に取り付けられる取付基部４ａと、取付基部４ａの両側部を略直交する方向に折り曲げてなる回動部４ｂとから略コ字状に形成されている。取付基部４ａには、取付孔４ｃが例えば３つ設けられている。
【００１６】
回動部４ｂの内面間の長さは、ベースブラケット３の両側部３ｂ外面間の長さより例えば若干長い寸法で形成されていることが好ましい。回動部４ｂの上方寄りには、シャフト２が挿入されるシャフト挿入孔４４が設けられている。シャフト挿入孔４４の径は、シャフト２の径より若干大きな寸法で形成されていることが好ましい。回動部４ｂのシャフト挿入孔４４と、ベースブラケット３の側部のシャフト挿入孔３４とを孔合わせして、これらシャフト挿入孔４４、３４にシャフト２を挿通させて、このシャフト２の他端部である先端部をかしめることにより、シャフト２の軸周りにベースブラケット３と回動ブラケット４とが回動可能に支持されたヒンジ１０が構成されるようになっている。ベースブラケット３と回動ブラケット４との間のシャフト２の外周には、ワッシャー１５が設けられている。また、回動ブラケット４内のシャフト２の外周には、スペーサー１６が設けられている。
【００１７】
ディスプレイ１１は、台部１２に対して２個のヒンジ１０を用いてチルト方向に傾動可能になっている。なお、ヒンジ１０の個数は、特に限定されず、２個以外の個数であってもよい。具体的には、２個のヒンジ１０は、フロントプレート４１を介してディスプレイ１１の後面に取り付けられていると共に、ベース部材３１を介して台部に取り付けられている。
【００１８】
フロントプレート４１は、横方向に細長の略矩形状に形成されている。フロントプレート４１は、ディスプレイ１１の後面の中央部であってその下方に取り付けられる。フロントプレート４１には、例えばビス等によりディスプレイ１１の後面に取り付けられるための貫通孔４１ａが例えば４つ設けられている。フロントプレート４１には、回動ブラケット４を取り付けるためのプレート取付部４１ｂが２つ設けられている。これらプレート取付部４１ｂは、フロントプレート４１をディスプレイ１１の後面に取り付けたときに、ディスプレイ１１の幅方向の略中央部中心に対称に位置されるようになっている。このフロントプレート４１のプレート取付部４１ｂに２つのヒンジ１０（回動ブラケット４）が取り付けられている。
【００１９】
ベース部材３１は、例えば、横方向に細長の矩形状の基部３１ａと、基部３１ａの後端部を上方に略直交する方向に折り曲げてなる後面部３１ｂと、基部３１ａの前端部を上方に略直交する方向に折り曲げてなる前面部３１ｃとから略コ字状に形成されている。基部３１ａの略中央部には、貫通孔（図示せず）が設けられている。この基部３１ａが例えばスイベル機構９を介して台部１２のベースプレート１２ａに取り付けられていることが好ましい。ベース部材３１（基部３１ａ）の長手方向の長さは、フロントプレート４１のプレート取付部４１ｂ間の寸法と略同じ寸法で形成されていることが好ましい。このベース部材３１の両端部に、２つのヒンジ１０のベースブラケット３がそれぞれ取り付けられている。これにより、２つのヒンジ１０を介してディスプレイ１１が台部１２に対してチルト方向に傾動可能になっている。
【００２０】
スイベル機構９は、ディスプレイ１１を左右方向に回動させて所望の位置に停止保持させるものであり、公知のものを用いることができる。スイベル機構９としては、特に限定されず、例えば、ベースプレート１２ａの略中央部から突出されると共に外周面にネジ溝が設けられ、ベース部材３１の基部３１ａの貫通孔（図示せず）に挿通されるネジ部材９１と、この基部３１ａの貫通孔に挿通されて突出するネジ部材９１の軸回りに装着される皿バネ９２と、このネジ部材９１に例えばワッシャー９４を介して螺合されるナット９３とからなり、このナット９３の締付により皿バネ９２が基部３１ａに押し付られて、ベースブラケット３の下側には樹脂のプレートを介してこの樹脂のプレートとベースブラケット３とが一体となって、ベースプレート１２ａとの間にフリクションが発生するようになっている。
【００２１】
また、ヒンジ１０を構成する回動ブラケット４の回動部４ｂの下方寄りには、可動ピン１３が挿入される可動ピン挿入孔４５が設けられている。可動ピン挿入孔４５の径は、可動ピン１３の径より若干大きな寸法で形成されていることが好ましい。可動ピン挿入孔４５と、ベースブラケット３の側部のチルト孔３５とを孔合わせして、これら孔４５、３５に可動ピン１３を挿通させることにより、ディスプレイ１１のチルト方向における傾動範囲がチルト孔３５によって規制されるようになっている。この可動ピン１３には、図５及び図８に示すように、フリクション発生手段５が設けられている。ベースブラケット３と回動ブラケット４との間の可動ピン１３の外周には、回動ブラケット４と共に移動するワッシャー１７が設けられている。また、ベースブラケット３内の可動ピン１３の外周には、スライダー６３が設けられている。ベースブラケット３とスライダー６３との間の可動ピン１３の外周には、スライダー６３に固定されるワッシャー１８が設けられている。
【００２２】
フリクション発生手段５は、ベースブラケット３と回動ブラケット４との間にフリクションを発生させてディスプレイ１１のチルト方向における位置を所望の位置に停止保持させるようにしてもよい。このフリクション発生手段５としては、特に限定されず、例えば、可動ピン挿入孔４５及びチルト孔３５を貫通させた可動ピン１３の軸回りに皿バネ５１を装着すると共に例えばワッシャー５５を介して可動ピン１３の端部をかしめることにより、ベースブラケット３と回動ブラケット４との間にフリクションを発生させるようにしてもよい。なお、フリクション発生手段５としては、シャフト２に可動ピン１３と略同様に構成してベースブラケット３と回動ブラケット４との間にフリクションを発生させるようにしてもよい。
【００２３】
落下モーメント打消手段６は、図２、図３、図５及び図７に示すように、ディスプレイ１１がシャフト２を軸に前面側に倒れる力を打ち消すものであり、特に限定されないが、その倒れる力を付勢力により打ち消す付勢部材を用いるようにしてもよい。付勢部材としては、例えば、コンプレッションスプリング６１であり、ベースブラケット３と回動ブラケット４との間に設けられている。具体的には、コンプレッションスプリング６１は、ベースブラケット３内に設けられ、その一端部が可動ピン１３の外周に設けられたスライダー６３に当接されると共に、その他端部が、ベースブラケット３の後部３ｃに当接されており、その付勢力により前記の倒れる力が打ち消されるようになっている。このコンプレッションスプリング６１は、２つあるベースブラケット３の両方に設けるようにしてもよいし、いずれか一方に設けるようにしてもよい。また、コンプレッションスプリング６１の付勢力を調節する付勢力調節手段６５を設けることが好ましい。
【００２４】
付勢力調節手段６５は、コンプレッションスプリング６１の付勢力を調節することができれば特に限定されず、例えば、コンプレッションスプリング６１の他端部と後部３ｃとの間のベースブラケット３内にその長手方向に移動可能に調節板６６を設け、この調節板６６の位置を調節する付勢力調節部材を設けるようにしてもよい。調節板６６は、例えば、平板状に形成されている。この調節板６６の一方の面にコンプレッションスプリング６１の他端部が当接される。
【００２５】
付勢力調節部材は、例えば、ネジ部材６７等である。ベースブラケット３の後面部３１ｂであってベースブラケット３の後部３ｃの貫通部３３と対向する箇所には、ネジ部材６７と螺合する調節孔６８が設けられている。この調節孔６８にネジ部材６７を螺合させて、ネジ部材６７の先端部を貫通部３３を介して調節板６６に当接させる。これにより、ネジ部材６７を調節孔６８に対して任意の方向に回転させることにより、ベースブラケット３内に突出するネジ部材６７の長さが調節されて調節板６６の位置が変わり、コンプレッションスプリング６１の付勢力が調節されるようになっている。
【００２６】
次に本発明に係るディスプレイ支持機構の作用を説明する。
【００２７】
ヒンジ１０のベースブラケット３が取り付けられているベース部材３１がスイベル機構９を介して台部１２に取り付けられているので、ディスプレイ１１と台部１２との間にスイベル機構９によるスイベルフリクションが発生して、ディスプレイ１１がスイベル方向の任意の位置で停止保持される。また、ベースブラケット３と回動ブラケット４との間にはフリクション発生手段５が設けられているので、ベースブラケット３と回動ブラケット４との間にフリクション発生手段５によるフリクションが発生して、ディスプレイ１１がチルト方向の任意の位置で停止保持される。
【００２８】
このディスプレイ１１のチルト方向の角度を変えたいときには、シャフト２を軸に回動ブラケット４がベースブラケット３に対して回転するようにディスプレイ１１を台部１２に対して移動させる。すなわち、ベースブラケット３と回動ブラケット４との間に発生しているフリクションより大きな力をディスプレイ１１に作用させる。これにより、回動ブラケット４がベースブラケット３に対して回転して、ディスプレイ１１のチルト方向の角度が変わる。ディスプレイ１１の角度が所望の角度になったら、その移動を停止すると、ベースブラケット３と回動ブラケット４との間に発生しているフリクションによりディスプレイ１１がその位置に停止保持される。
【００２９】
このとき、ディスプレイ１１の後面に本発明に係るディスプレイ支持機構１が設けられているのでディスプレイ１１が前面側に倒れようとするが、落下モーメント打消手段６が備えられていることで、ディスプレイ１１がシャフト２を軸に前面側に倒れる力がコンプレッションスプリング６１の付勢力により打ち消されるので、ディスプレイ１１が前面側に倒れることがない。このため、小さなフリクショントルクでディスプレイ１１のチルト方向の位置を所望の位置に停止保持させることができるので、ディスプレイ１１をスムーズに回動させることができる。
【００３０】
すなわち、例えばディスプレイ１１が液晶テレビであると、重心の位置は液晶テレビより前方であるために液晶テレビが前面側に倒れようとする。この液晶テレビが前面側に倒れる力をコンプレッションスプリング６１の付勢力により打ち消す。これにより、ベースブラケット３と回動ブラケット４との間にフリクションが発生していない場合には、液晶テレビにシャフト２を軸に回動する方向に力を作用させると、液晶テレビがシャフト２を軸に揺動するように前後に回動する。このため、液晶テレビのチルト方向の位置を所望の位置に停止保持させるには、小さなフリクショントルクで良いので、液晶テレビの回動をスムーズに行うことができる。
【００３１】
したがって、本発明に係るディスプレイ支持機構１は、ディスプレイ１１がシャフト２を軸に前面側に倒れる力を打ち消す落下モーメント打消手段６を備えたので、小さなフリクショントルクでディスプレイ１１を所望の位置に停止保持させることができると共に、ディスプレイ１１をスムーズに回動させることができる。また、部品点数が少ないので、低コスト化及び省スペース化を図ることができる。その結果、本発明に係るディスプレイ支持機構１は、特に大型のモニターや液晶テレビ等の据え置き型のディスプレイを保持させるものとして好適なものである。
【００３２】
また、ベースブラケット３の側部の内表面と回動ブラケット４の回動部４ｂの外表面との間の接触面全体でフリクションを発生させることができるので、ディスプレイ１１のチルト方向の位置を台部１２に対して所望の位置に確実に停止保持させることができる。
【００３３】
また、コンプレッションスプリング６１の付勢力を調節する付勢力調節手段６５を設けることで、ディスプレイ１１が前面側に倒れる力をコンプレッションスプリング６１の付勢力により確実に打ち消すことができ、一層確実に小さなフリクショントルクでディスプレイ１１のチルト方向の位置を所望の位置に停止保持させることができる。
【００３４】
また、ディスプレイ１１のチルト方向の回動範囲（傾動範囲）は、可動ピン１３が挿通されているチルト孔３５の前後方向の寸法によって決められ、例えば、ディスプレイ１１のチルト方向の回動角度が、例えば、図１に示すように、−３°〜８°の範囲でディスプレイ１１が傾動するようになっている。なお、このチルト方向の回動角度とは、ベースブラケット３の基部３ａに対する回動ブラケット４の取付基部４ａの角度が９０°のときに０°としたものであり、−のときはディスプレイ１１が前方側に倒れていることを示し、逆に＋のときにはディスプレイ１１が後方側に倒れていることを示す。また、図１においてディスプレイ１１の−３°〜８°の範囲の回動角度を分かり易いように誇張して記載してある。
【００３５】
また、ディスプレイ１１のスイベル方向の回動範囲を規制するようにしてもよい。このスイベル方向の回動範囲の規制は、どのように構成してもよく、例えば、ベース部材３１の基部３１ａにストッパーピン２個をかしめ、ベース部材３１の基部３１ａの下面とベースプレート１２ａの上面の間に樹脂のプレートを設けることによって、樹脂のプレートと基部３１ａとが一体で動き、ストッパーピンとベースプレート１２ａの長孔で回動範囲を規制するようにしてもよい。このように、スイベル方向の回動範囲を規制する場合、その規制範囲は特に限定されず、例えば、図２に示すように、回動角度が−１０°〜１０°の範囲等である。なお、図２においてディスプレイ１１のの範囲の回動角度を分かり易いように誇張して記載してある。
【産業上の利用可能性】
【００３６】
以上説明したように本発明に係るディスプレイ支持機構は、ディスプレイがシャフトを軸に前面側に倒れる力を打ち消す落下モーメント打消手段を備えたので、小さなフリクショントルクでディスプレイを所望の位置に停止保持させることができると共に、ディスプレイをスムーズに回動させることができることから、特に大型のモニターや液晶テレビ等の据え置き型のディスプレイを保持させるものとして好適なものである。
【図面の簡単な説明】
【００３７】
【図１】本発明に係るディスプレイ支持機構の一例を示す側面図である。
【図２】本発明に係るディスプレイ支持機構の一例を示す平面図である。
【図３】本発明に係るディスプレイ支持機構の一例を示す斜視図である。
【図４】本発明に係るディスプレイ支持機構の一例を示す側面図である。
【図５】本発明に係るディスプレイ支持機構の一例を示す平面図である。
【図６】本発明に係るディスプレイ支持機構の一例を示す一部破断背面図である。
【図７】本発明に係るディスプレイ支持機構の一例を示す断面図である。
【図８】本発明に係るディスプレイ支持機構の要部の一例を示す断面図である。
【図９】本発明に係るベースブラケットの一例を示す図で、（ａ）は平面図、（ｂ）は側面図、（ｃ）は背面図である。
【図１０】本発明に係る回動ブラケットの一例を示す図で、（ａ）は平面図、（ｂ）は背面図、（ｃ）は側面図である。
【符号の説明】
【００３８】
１  ディスプレイ支持機構
２  シャフト
３  ベースブラケット（第１ブラケット）
４  回動ブラケット（第２ブラケット）
５  フリクション発生手段
６  落下モーメント打消手段
９  スイベル機構
１１  ディスプレイ
１２  台部
１３  可動ピン
６１  コンプレッションスプリング（付勢部材）
６５  付勢力調節手段
６６  調節板
６７  ネジ部材（付勢力調節部材）
【図１】
2008009144.tif 000003
【図２】
2008009144.tif 000004
【図３】
2008009144.tif 000005
【図４】
2008009144.tif 000006
【図５】
2008009144.tif 000007
【図６】
2008009144.tif 000008
【図７】
2008009144.tif 000009
【図８】
2008009144.tif 000010
【図９】
2008009144.tif 000011
【図１０】
2008009144.tif 000012